(57)【要約】【課題】本発明は、使用状態における騒音を低減する手持ち型電気掃除機を提供する。【解決手段】  本発明にかかる手持ち型電気掃除機１は、モータ６２と、モータ６２によって回転する回転ファン６５と、を含む電動送風機６４を収容する本体２を有する。本体２は、電動送風機６４から本体２の外部へ排気を導く排気室２８を有する。排気室２８は、モータ６２の側方であって本体２の側面１８に開口する排気孔２６と、本体２内でモータ６２の上方、後方及び下方を連続して囲む壁部と、を有する。モータ６２の上方の壁部は、電気回路を有する基板６６であり、モータ６２の後方の壁部は、基板６６の後端から下方に延びる後壁２４であり、モータ６２の下方の壁部は、後壁２４の下端からモータ６２の下方に延びる底壁２５である。基板６６、後壁２４、及び底壁２５は、連続している。【選択図】図３
2015097641.tif 000002
【特許請求の範囲】
【請求項１】
モータと、該モータによって回転する回転ファンと、を含む電動送風機を収容する本体を有し、
前記本体は、前記電動送風機から前記本体の外部へ排気を導く排気室を有し、
前記排気室は、前記モータの側方であって前記本体の側壁に開口する排気孔と、前記本体内で前記モータの上方、後方及び下方を連続して囲む壁部と、を有し、
前記モータの上方の前記壁部は、電気回路を有する基板であり、
前記モータの後方の前記壁部は、前記基板の後端から下方に延びる後壁であり、
前記モータの下方の前記壁部は、前記後壁の下端から前記モータの下方に延びる底壁であり、
前記基板、前記後壁、及び前記底壁は、連続していることを特徴とする、手持ち型電気掃除機。
【請求項２】
請求項１において、
前記本体は、その後端部から前記モータの下方まで延在するバッテリ収容部内にバッテリパックを挿入し、
前記底壁は、前記バッテリ収容部の壁部の一部であることを特徴とする、手持ち型電気掃除機。
【請求項３】
請求項１または２において、
前記基板と前記モータとの最近接距離は、４ｍｍ〜６ｍｍであり、
前記後壁と前記モータとの最近接距離は、１０ｍｍ〜１８ｍｍであり、
前記底壁と前記モータとの最近接距離は、４ｍｍ〜６ｍｍであることを特徴とする、手持ち型電気掃除機。
【発明の詳細な説明】
【技術分野】
【０００１】
本発明は、手持ち型電気掃除機に関するものである。
【背景技術】
【０００２】
近年、リチウムイオン電池など二次電池の高性能化により、一般家庭用及び業務用の手持ち型電気掃除機は、吸引力が高くなり、しかも連続使用時間も長くなる傾向にある。その結果、手持ち型電気掃除機の需要が増加している。
【０００３】
手持ち型電気掃除機としては、大別すると、吸引する開口部に短いノズルを取り付けたいわゆるハンディタイプの電気掃除機と、開口部に長い吸込管を取り付けてその先端に吸込ヘッドを取り付けたいわゆるスティックタイプの電気掃除機と、が普及している。また、このようなハンディタイプの手持ち型電気掃除機とスティックタイプの手持ち型電気掃除機とを、掃除機の本体を共通とし、ノズルと吸込管とを交換することで使い分けることができるものもある。
【０００４】
手持ち型電気掃除機は、一般的に、吸引する開口部と、電動送風機と、二次電池を収容するバッテリパックと、を略同一直線状に並べて配置し、電動送風機とバッテリパックとの間に把持部を有するものが多い（例えば、特許文献１、２参照）。
【０００５】
従来の手持ち型電気掃除機にあっては、本体内にある電動送風機の周囲に、比較的広い空間を設け、本体の側方にある排気孔から排気をしている。
【０００６】
手持ち型電気掃除機にあっては、バッテリの性能向上による電動送風機の大出力化による騒音の低減が求められている。特に、手持ち型電気掃除機は、電動送風機が収容されている本体を使用者が把持して使用するため、キャニスター型電気掃除機よりも騒音に対する配慮が重要である。
【先行技術文献】
【特許文献】
【０００７】
【特許文献１】特開２００４−４１７６０号公報
【特許文献２】特開２０１０−１７８７７３号公報
【発明の概要】
【発明が解決しようとする課題】
【０００８】
そこで、本発明の目的は、使用状態における騒音を低減する手持ち型電気掃除機を提供することにある。
【課題を解決するための手段】
【０００９】
［適用例１］
本適用例に係る手持ち型電気掃除機は、
モータと、該モータによって回転する回転ファンと、を含む電動送風機を収容する本体を有し、
前記本体は、前記電動送風機から前記本体の外部へ排気を導く排気室を有し、
前記排気室は、前記モータの側方であって前記本体の側面に開口する排気孔と、前記本体内で前記モータの上方、後方及び下方を連続して囲む壁部と、を有し、
前記モータの上方の前記壁部は、電気回路を有する基板であり、
前記モータの後方の前記壁部は、前記基板の後端から下方に延びて後壁であり、
前記モータの下方の前記壁部は、前記後壁の下端から前記モータの下方に延びる底壁であり、
前記基板、前記後壁、及び前記底壁は、連続していることを特徴とする。
【００１０】
本適用例によれば、使用状態における騒音を低減する手持ち型電気掃除機を提供することができる。すなわち、電動送風機における騒音の発生源の一つであるモータの周囲を囲む壁部を形成して狭い排気室を設けることで、モータによる騒音を低減することができる。また、基板を排気室の壁として利用し、基板の後端を固定することによって基板の振動による音を低減することができる。
【００１１】
［適用例２］
前記手持ち型電気掃除機において、
前記本体は、その後端部から前記モータの下方まで延在するバッテリ収容部内にバッテリパックを挿入し、
前記底壁は、前記バッテリ収容部の壁部の一部であることができる。
【００１２】
本適用例によれば、バッテリ収容部の壁部の一部を排気室の壁の一部として兼用することができる。バッテリ収容部は、重いバッテリパックを収容するため、比較的補強も多く、堅牢であるため、バッテリ収容部の壁部の振動が少なく、振動による音を低減することができる。また、バッテリ収容部の壁部をモータの下方まで延在させることで、バッテリパックをコンパクトに収容することができ、手持ち型電気掃除機の本体の小型化も可能となる。
【００１３】
［適用例３］
前記手持ち型電気掃除機において、
前記基板と前記モータとの最近接距離は、４ｍｍ〜６ｍｍであり、
前記後壁と前記モータとの最近接距離は、１０ｍｍ〜１８ｍｍであり、
前記底壁と前記モータとの最近接距離は、４ｍｍ〜６ｍｍであることができる。
【００１４】
本適用例によれば、モータと排気室の壁部との距離を適度に設定することによって、電動送風機からの排気を妨げることなく、騒音の低減に貢献することができる。
【発明の効果】
【００１５】
本発明の手持ち型電気掃除機によれば、使用状態における騒音を低減する手持ち型電気掃除機を提供することができる。
【図面の簡単な説明】
【００１６】
【図１】本発明の一実施形態に係る手持ち型電気掃除機の使用状態を説明する図である。
【図２】本発明の他の実施形態に係る手持ち型電気掃除機の使用状態を説明する図である。
【図３】本発明の一実施形態に係る手持ち型電気掃除機の本体の縦断面図である。
【図４】本発明の一実施形態に係る手持ち型電気掃除機の概略背面図である。
【発明を実施するための形態】
【００１７】
以下、本発明の実施の形態について図面を参照しながら詳細に説明する。
【００１８】
本発明の一実施の形態にかかる手持ち型電気掃除機は、モータと、該モータによって回転する回転ファンと、を含む電動送風機を収容する本体を有し、前記本体は、前記電動送風機から前記本体の外部へ排気を導く排気室を有し、前記排気室は、前記モータの側方で
あって前記本体の側面に開口する排気孔と、前記本体内で前記モータの上方、後方及び下方を連続して囲む壁部と、を有し、前記モータの上方の前記壁部は、電気回路を有する基板であり、前記モータの後方の前記壁部は、前記基板の後端から下方に延びる後壁であり、前記モータの下方の前記壁部は、前記後壁の下端から前記モータの下方に延びる底壁であり、前記基板、前記後壁、及び前記底壁は、連続していることを特徴とする。
【００１９】
なお、特に断らない限り、本実施の形態における手持ち型電気掃除機１の説明において、「上」は本体２の上面２７（図３を参照）側であり、「下」は本体２の底面２３（図３を参照）側であり、「前」は本体２の開口部２０（図３を参照）側であり、「後」は本体２の開口部２９（図３を参照）側である。
【００２０】
１．ハンディタイプ
図１に示す本発明の一実施形態に係る手持ち型電気掃除機１は、本体２の先端にノズル３を備えるいわゆるハンディタイプの手持ち型電気掃除機である。手持ち型電気掃除機１は、図示しない電動送風機及びバッテリパック８を内部に収容する本体２と、本体２の先端に接続された筒状のノズル３と、ノズル３から吸い込んだ塵埃を捕集する集塵部４と、使用者が本体２を把持する把持部５と、を有する。
【００２１】
把持部５は、本体２の後方に本体２の長手方向Ａに沿って延在する貫通孔５４の上側に形成され、ほぼ同じ太さの握り部５０と、握り部５０の前方に凹状の溝として形成された指掛け部５２と、を有する。
【００２２】
バッテリパック８は、貫通孔５４の下側であって本体２の下方にある底面２３に沿って形成された筒状のバッテリ収容部２２（図３を参照）に本体２の後方の開口部２９から挿入して収容されている。本実施形態では、把持部５とバッテリパック８とが貫通孔５４を挟んで上下に配置されたが、これに限るものではない。例えば、貫通孔５４の代わりに本体２の後方に開口するように形成して、把持部５とモータ６２の後ろの部分とバッテリ収容部２２とでＣ字状に構成することもできる。
【００２３】
本体２の把持部５側の側面１８には、複数の排気孔２６が開口している。排気孔２６は、本体２内の図示しない電動送風機から本体２の外部へと排気を行うためのものである。
【００２４】
２．スティックタイプ
図２に示す本発明の他の実施形態に係る手持ち型電気掃除機１０は、本体２の先端に吸引管３２を備え、吸引管３２の先端に吸込ヘッド３４を備えるいわゆるスティックタイプの手持ち型電気掃除機１０である。本体２の基本構成は、図１の手持ち型電気掃除機１と同様であるので、同じ構成には同じ符号を用いて、重複する説明は省略する。
【００２５】
手持ち型電気掃除機１０は、手持ち型電気掃除機１の本体２の先端に装着されていたノズル３の代わりに吸込ヘッド３４を備える吸引管３２を装着している。
【００２６】
したがって、本体２は、図１のハンディタイプの手持ち型電気掃除機１と図２のスティックタイプの手持ち型電気掃除機１０に適用することができる。
【００２７】
３．本体
図３及び図４を用いて、本体２について説明する。本体２は、その内部に電動送風機６４を収容する。本体２は、前方端部の開口部２０、フィルタ４０を含む集塵部４、及び電動送風機６４を本体２の長手方向Ａに沿って一直線に配置している。また、本体２は、電動送風機６４の後方に長手方向Ａと直交する方向（図３における手前側から奥側へ向かう方向）に貫通する大きな貫通孔５４を有し、貫通孔５４の上側に把持部５と下側にバッテ
リ収容部２２とを有する。
【００２８】
３−１．電動送風機
電動送風機６４は、モータ６２と、モータ６２によって回転する回転ファン６５と、を含む。回転ファン６５は、モータ６２の出力軸６２１に接続される。回転ファン６５をモータ６２で回転することにより、開口部２０から集塵部４へ吸引する空気の流れ、すなわち、本体２の前方から後方へ向かう空気の流れを発生する。この空気の流れが開口部２０に接続されたノズル３（図１を参照）及び吸込ヘッド３４（図２を参照）における吸引力を発生させる。開口部２０から吸い込まれた塵埃は、集塵部４内のフィルタ４０で集められる。フィルタ４０を抜けた空気の流れは、フィルタ４０の中心から回転ファン６５の中心へ抜け、回転ファン６５の外周へと流れる。フィルタ４０と回転ファン６５の中心軸は同一直線上にある。
【００２９】
電動送風機６４は、回転ファン６５の外周へ流れた空気を回転ファン６５の後方にあるモータ６２の外周へと導くケース６３をさらに有する。ケース６３は、内部に回転可能な回転ファン６５を収容する。ケース６３は、回転ファン６５の外周後方に開口部６３１を複数有する。開口部６３１は、回転ファン６５の外周から吐出された空気をモータ６２の周囲に形成された排気室２８へと導くことができる。
【００３０】
モータ６２は、長手方向Ａに沿って延びる出力軸６２１の前方先端に回転ファン６５の回転中心を固定し、回転ファン６５の後方に配置している。モータ６２は、操作部６の操作によって動作する。
【００３１】
３−２．把持部
本体２は、使用者が把持する把持部５を有する。
【００３２】
把持部５は、本体２の後方に設けられた貫通孔５４の上側の一部を構成し、本体２の長手方向Ａに沿って延びる略円筒状の形状を有する。把持部５は、長手方向Ａに沿って延びながら本体２の内側に向けて傾斜している。本体２は、底面２３が平らであり側面から見ると長手方向Ａに沿った直線であるので、把持部５の傾斜によって後方へ向かって細くなる。把持部５は、ほぼ同じ太さの握り部５０と、握り部５０の前方すなわち電動送風機６４側に凹状の溝として形成された指掛け部５２と、を有する。
【００３３】
３−３．バッテリ収容部
バッテリ収容部２２は、本体２の底面２３側であって貫通孔５４を挟んで把持部５と対向する位置に形成され、バッテリパック８を内部に収納する。バッテリ収容部２２は、貫通孔５４の下側の一部を構成し、本体２の後端に形成された開口部２９からモータ６２の下まで延びる筒状の空間である。
【００３４】
バッテリパック８は、筐体の内部に二次電池を有する。二次電池の種類としては、充電を行うことにより電気を蓄えて繰り返し使用することが出来る電池であればよく、例えば、リチウムイオン二次電池を用いることができる。バッテリ収容部２２内に収容されたバッテリパック８は、開口部２９から引き抜くことで本体２から取り外し可能であり、図示しない別部材の充電器で充電することができる。
【００３５】
バッテリパック８は、その外観が上下方向に薄く前後方向に長い平板状であって、後端が本体２の外形の一部を構成することができる。バッテリパック８は、その後端において上方に突出した部分が本体２内の電極に接続して電力を供給する。
【００３６】
バッテリ収容部２２及びバッテリパック８は、把持部５の指掛け部５２より電動送風機
６４側の第１位置Ｐ１まで延在する。
【００３７】
第１位置Ｐ１は、モータ６２の下方にあることができる。すなわち、モータ６２の下方までバッテリパック８を延在させることで、モータ６２の下方にあるスペースを有効に利用することができ、手持ち型電気掃除機１，１０をコンパクトにすることができる。
【００３８】
第１位置Ｐ１は、モータ６２の長手方向Ａにおける中心Ｐ３よりも回転ファン６５側であることができる。すなわち、モータ６２に隣接した本体２内のスペースを有効利用してバッテリパック８を配置することができ、コンパクトな手持ち型電気掃除機１，１０を提供することができる。
【００３９】
３−４．操作部
本体２は、その上面２７に操作部６を有する。操作部６は、手持ち型電気掃除機１、１０の電源をＯＮ／ＯＦＦする電源スイッチ６１と、吸込力の強／弱を切り替える切り替えスイッチを含む他の操作スイッチ６７を備える。操作部６は、指掛け部５２に対向する位置に電源スイッチ６１を有することができる。
【００４０】
また、操作部６は、他の操作スイッチ６７よりも前方に、１以上の発光部６８を配置することができる。発光部６８は、例えば、電源がＯＮである状態を示すＬＥＤランプであってもよいし、吸込力の強／弱の切替状態を示すＬＥＤランプであってもよいし、開口部２０に設けられたゴミセンサが塵埃を検知していることを示すＬＥＤランプであってもよい。
【００４１】
３−５．排気室
図３及び図４を用いて、排気室２８の詳細について説明する。
【００４２】
排気室２８は、電動送風機６４のモータ６２の周囲に形成され、電動送風機６４から本体２の外部へ排気を導く。排気室２８は、モータ６２の側方であって本体２の側面１８に開口する排気孔２６と、モータ６２の上方、後方及び下方を連続して囲む壁部６６，２４，２５と、を有する。
【００４３】
排気孔２６は、長手方向Ａに延びる開口であって、本体２の側面１８に開口している。排気孔２６は、本体２の上下方向に複数本形成される。排気孔２６の内側、すなわち本体２の側面１８の内側面には、モータ６２との間に吸音材を有する。吸音材は、排気を妨げない程度に空気が透過するものが好ましく、例えば多孔質材など公知のものを採用することができる。
【００４４】
モータ６２の上方の壁部は、電気回路を有する基板６６である。基板６６は、モータ６２と本体２の上面２７との間に固定されている。基板６６の側方端部は、本体２の側面１８の内壁面に沿って形成され、側面１８の内壁面との間にすき間が生じないことが望ましい。基板６６の前方端部は、電動送風機６４のケース６３の後方に接触し、あるいはわずかな間隔を持って隣接している。基板６６の後方端部は、本体２の側面１８の内側面から図３における手前側に延びる後壁２４に接続している。基板６６と後壁２４とは、その幅方向（図３における手前側から奥側へ向かう方向）において接触している。
【００４５】
モータ６２の後方の壁部は、基板６６の後端から下方に延びる後壁２４である。後壁２４は、貫通孔５４を形成する本体２の部分である前面５６と所定間隔を隔てている。前面５６と後壁２４とが所定間隔を隔てることでモータ６２の熱を前面５６すなわち把持部５側へ伝わりにくくする断熱効果が得られる。後壁２４は、本体２と一体に成形されたリブとしても作用する。
【００４６】
モータ６２の下方の壁部は、後壁２４の下端からモータ６２の下方に延びる底壁２５である。底壁２５は、後壁２４の下端とその幅方向において接触し、本実施形態では両壁は連結している。底壁２５は、本体２と一体に成形されたリブとしても作用する。したがって、後壁２４と底壁２５とは本体２に対して堅牢に固定され、振動も少ない。
【００４７】
後壁２４と底壁２５は、本体２の側面１８から図３における手前側に延びるリブであり、本体２が手前側と奥側の二つの部材から構成される場合、対向する側面１８のそれぞれに設けられ、本体２が組み合わされて後壁２４及び底壁２５が形成される。
【００４８】
底壁２５は、第１位置Ｐ１において下方へ延びて底面２３の内側面に接続する第２の底壁２５１を有する。第２の底壁２５１は、開口部６３１と所定間隔を隔てて位置する。
【００４９】
基板６６、後壁２４、及び底壁２５は、連続している。しかも、モータ６２の側方を除く、上方、後方、下方において、基板６６、後壁２４及び底壁２５と本体２の外壁とは所定の間隔を隔てており、二重壁構造となっている。
【００５０】
このような排気室２８を有することによって、使用状態における騒音を低減する手持ち型電気掃除機１を提供することができる。すなわち、電動送風機６４における騒音の発生源の一つであるモータ６２の周囲を囲む壁部を形成して狭い排気室２８を設けることで、モータ６２による騒音を低減することができる。また、基板６６を排気室２８の壁として利用し、基板６６の後端を固定することによって基板６６の振動による音を低減することができる。
【００５１】
また、底壁２５は、バッテリ収容部２２の壁部の一部を用いている。バッテリ収容部２２は、モータ６２の下方にまで延び、第１位置Ｐ１はケース６３の開口部６３１とわずかな間隔を隔てた位置にある。バッテリ収容部２２の上方のモータ６２と対向する壁部が底壁２５として形成されている。したがって、バッテリ収容部２２の壁部の一部を排気室２８の壁の一部として兼用することができるため、別途底壁２５を設けるよりもコスト削減となる。バッテリ収容部２２は、重いバッテリパック８を収容するため、比較的補強も多く、堅牢であるため、バッテリ収容部２２の壁部である底壁２５の振動は少なく、振動による音を低減することができる。また、バッテリ収容部２２の壁部である底壁２５をモータ６２の下方まで延在させることで、バッテリパック８をコンパクトに収容することができ、手持ち型電気掃除機１の本体２の小型化も可能となる。
【００５２】
基板６６とモータ６２との最近接距離は、４ｍｍ〜６ｍｍであり、後壁２４とモータ６２との最近接距離は、１０ｍｍ〜１８ｍｍであり、底壁２５とモータ６２との最近接距離は、４ｍｍ〜６ｍｍであることができる。本実施の形態において、基板６６とモータ６２との最近接距離は、５．６ｍｍであり、後壁２４とモータ６２との最近接距離は、１６．５ｍｍであり、底壁２５とモータ６２との最近接距離は、５．１ｍｍである。最近接距離は、各壁部とモータ６２の外壁面との最も近い位置における距離である。なお、後壁２４の最近接距離については、モータ６２の出力軸６２１の後端が突出しているが、出力軸６２１ではなくモータ６２本体の外壁面との距離である。このように、モータ６２と排気室２８の壁部６６，２４，２５との距離を適度に設定することによって、電動送風機６４からの排気を妨げることなく、騒音の低減に貢献することができる。
【００５３】
なお、上記のように本発明の実施の形態について詳細に説明したが、本発明の新規事項及び効果から実体的に逸脱しない多くの変形が可能であることは当業者には容易に理解できよう。
【符号の説明】
【００５４】
１  手持ち型電気掃除機、２  本体、３  ノズル、４  集塵部、５  把持部、６  操作部、８  バッテリパック、１０  手持ち型電気掃除機、２０  開口部、２２  バッテリ収容部、２３  底面、２４  後壁、２５  底壁、２６  排気孔、２７  上面、２８  排気室、２９  開口部、３２  吸引管、３４  吸込ヘッド、４０  フィルタ、５０  握り部、５２  指掛け部、５４  貫通孔、５６  前面、６１  電源スイッチ、６２  モータ、６３  ケース、６４  電動送風機、６５  回転ファン、６６  基板、６７  他の操作スイッチ、６８  発光部、２５１  第２の底壁、６２１  出力軸、６３１  開口部、Ａ  長手方向、Ｐ１  第１位置、Ｐ３  中心
【図１】
2015097641.tif 000003
【図２】
2015097641.tif 000004
【図３】
2015097641.tif 000005
【図４】
2015097641.tif 000006